(57)【要約】【課題】家庭内に仏間などを設けることなくお寺に、位牌を備えた仏壇と墓地を兼ねた仏具として設置し、所定の供養日にはお寺で読経して供養をし、費用が掛からず、かつ荘厳な雰囲気を有する箱型仏具を得る事である。【解決手段】この考案の箱型仏具１０は、一面が開放され、上面に仏像Ａを載せることが出来る外箱１１と、上記外箱１１の開放面から着脱自在に装着される内箱１３とから成り、内箱１３の一側面に設けられた側板１４は外箱１１内に装着した状態では外箱１１を閉じる側板として兼ねて設けられ、内箱１３はその中に骨壷１７を収納出来る形状として形成されたものである。【選択図】図２
0003122143.tif 000002
【実用新案登録請求の範囲】
【請求項１】
６面体の一面が開放され、上面に仏像Ａを載せることが出来る外箱１１と、上記外箱１１の開放面から着脱自在に装着される内箱１３とから成り、内箱１３の一側面に設けられた側板１４は外箱１１内に装着した状態では外箱１１を閉じる側板として兼ねて設けられ、内箱１３はその中に骨壷１７を収納出来る形状として形成された箱型仏具。
【請求項２】
前記側板１４の外面の一部に所定広さの凹面部１８を設け、この凹面部１８の面をこの面に戒名を記入可能な素材面から形成し、この凹面部１８にスライド挿入自在な閉じ板１６を設けたことを特徴とする請求項１に記載の箱型仏具。
【請求項３】
前記外箱１１の正面に、この箱型仏具を他の箱型仏具と区別するための表示部１２を設けたことを特徴とする請求項１又は２に記載の箱型仏具。
【考案の詳細な説明】
【技術分野】
【０００１】
この考案は、上部に仏像を置き、側部には位牌を保持し、内部には納骨箱を収納することが出来る箱型仏具に関する。
【背景技術】
【０００２】
仏具として各家庭に置かれている仏壇は、箪笥の上に置かれる小さなものから地袋付きの仏間に置かれる大きさのもの、あるいは一間幅の仏間に置かれる幅の広いものまでそれぞれ大きさが異なるが、生活様式の変化に伴って最近では仏間のない家や和室がなく仏壇そのものを置かない家庭があり、仏壇を置く位置や仏壇の形式等について種々の試みが行われている。仏壇の形状は、一般的なものとして、例えば特許文献１のように地袋に相当する箱型の台の上に仏像などを置くため開閉式の扉を備えた仏壇形式のものが多い。
【０００３】
特許文献２の仏具は、お寺や墓院等から墓地を購入する費用等を考慮して、小形で、費用が掛からず、納骨とお位牌を一つにまとめたミニ墓石兼墳墓として、かつ見た目もよく供養できる仏具を提案している。この仏具は、内部に納骨用空間を有する納骨箱の上に複数個の位牌を収容する位牌箱を重ね置き、納骨箱と位牌箱を分離可能に組み立て、納骨箱の嵌込口をあけて納骨用空間の上方を開放し、位牌箱の底部に形成した嵌合部を嵌込み、位牌箱の正面に位牌嵌込用の凹部を形成して位牌を嵌込み、位牌箱の上面を開放してこれに蓋を被せ、位牌箱の内側左右に縦方向の支持溝を複数条対向して形成し、この支持溝に位牌の左右両辺を差し込んで形成されている。
【０００４】
しかし、最近では仏壇を家庭内に置かず、又墓地も持てないという家が増加し、仏壇と納骨箱とを共にお寺に預ければお寺において毎日供養をして頂けるとして、お寺に預けたいと考える人が多くなっており、お寺ではこのような状況の変化に対応をする必要が生じている。しかし、上記のような従来家庭の仏間に置かれていたような仏壇をそのままお寺で預かり、墓地を提供することは、墓地やお寺の建物の広さからも不可能であり、納骨箱と位牌を有し、かつミニ仏壇として墓地とを兼ねてお寺で預かることができる形式の仏具が必要とされているが、そのような仏具は未だ提案された例がない。
【特許文献１】特開２００５−２７９０６号公報
【特許文献２】特開２００４−２４４０３号公報
【考案の開示】
【考案が解決しようとする課題】
【０００５】
この考案は、上記の問題に留意して、家庭内に仏間などを設けることなくお寺に、位牌を備えた仏壇と墓地を兼ねた仏具として設置してもらい、所定の供養日にはお寺で読経して供養をすることが出来、費用が掛からず、かつ荘厳な雰囲気を有する箱型仏具を提供することを課題とする。
【課題を解決するための手段】
【０００６】
この考案は、上記の課題を解決する手段として、６面体の一面が開放され、上面に仏像を載せることが出来る外箱と、上記外箱の開放面から着脱自在に装着される内箱とから成り、内箱の一側面に設けられた側板は外箱内に装着した状態では外箱を閉じる側板として兼ねて設けられ、内箱はその中に骨壷を収納出来る形状として形成された箱型仏具の構成としたのである。
【０００７】
上記の構成としたこの考案の箱型仏具は、家庭内に仏間などを設けることなくお寺に、位牌を備えた仏壇と墓地を兼ねた仏具として設置する。外箱内に内箱を収納し、内箱内に遺骨を入れた骨壷を収納して、お寺のお堂内の所定位置に置いて所定の供養日にはお寺で読経して供養をすることが出来、費用が掛からず、かつ荘厳な雰囲気を有する箱型仏具として多数の人の仏壇と墓地を提供することが出来る。この箱型仏具では、外箱の正面に、この箱型仏具を他の箱型仏具と区別するための表示部を設けることが出来る。又、側板の外面の一部に所定広さの凹面部を設け、この凹面部の面をこの面に戒名を記入可能な素材面から形成し、この凹面部にスライド挿入自在な閉じ板を設けておく。戒名を確認するときは、この閉じ板を引き上げて素材面に記入された戒名を見ることが出来る。
【考案の効果】
【０００８】
この考案の箱型仏具は、一面が開放され、上面に仏像を載せることが出来る外箱と、この外箱の開放面から着脱自在に装着される内箱とから成り、内箱の一側面に設けられた側板は外箱内に装着した状態では外箱を閉じる側板として兼ねて設けられ、内箱はその中に骨壷を収納出来るように形成したから、家庭内に仏間などを設けることなくお寺に、位牌を備えた仏壇と墓地を兼ねた仏具として設置し、所定の供養日にはお寺で読経して供養をすることが出来、費用が掛からず、かつ荘厳な雰囲気を有する箱型仏具が得られるという利点がある。
【考案を実施するための最良の形態】
【０００９】
以下、この考案を実施するための形態について、図面を参照して説明する。図1は、実施形態の仏具の全体を示す外観斜視図である。図示のように、この実施形態の箱型仏具１０は、６面体の一面が開放され、上面に仏像Ａを載せることが出来る外箱１１と、上記外箱１１の開放面から着脱自在に装着される内箱１３とから成る。そして、内箱１３の一側面に設けられた側板１４は内箱１３を外箱１１内に装着した状態では外箱１１を閉じる側板として兼ねて設けられ、内箱１３はその中に骨壷１７を収納出来る形状として形成されている。仏像Ａは、図示の例では、小さな阿弥陀如来立像を載置しているが、この仏像Ａは他の状態の仏像でもよい。
【００１０】
上記外箱１１、内箱１３は木製であり、外箱１１の５面と内箱１３の一面のそれぞれの外面に黒の漆塗りの塗装が施されており、外箱１１内に内箱１３の側部材１５を収納した状態で全体的に箱型仏具１０として荘厳な雰囲気を有する装飾が施されている。又、外箱１１の正面の上部には、この箱型仏具１０を他の箱型仏具と区別するための表示部１２が設けられており、この表示部１２に記入された符号により箱型仏具１０を他と区別することが出来る。内箱１３も外箱１１と同様に、一面が開放状で、その一面は上面が開放状であり、その一側面に上記側板１４が固定して設けられている。
【００１１】
側板１４には、その外面の一部に所定広さの凹面部１８を設け、この凹面部１８の面をこの面に戒名を記入可能な素材面から形成し、この凹面部１８にスライド挿入自在な閉じ板１６を設けている。閉じ板１６は、凹面部１８の縦方向の両側辺に臍溝が形成されており、この臍溝に対応して閉じ板１６の両側辺も断面視で少し傾斜状に形成され、両部材の両側辺の形状をこのように形成することにより縦方向にスライド挿入自在とされている。凹面部１８の面は、この例では用いられる木材のその木質表面を切削したまま無塗装の状態として墨汁の筆で戒名を記入可能な素材面とする。１６ａは、閉じ板１６の開閉用のつまみ、１９は外箱１１の正面に形成された装飾窓の内側に貼り付けられた装飾布である。
【００１２】
上記の構成としたこの実施形態の箱型仏具１０は、位牌を備えた仏壇と納骨する墓地の役目とを兼ねてお寺に置かれることを前提として用いられるものとする。但し、表示部１２を省略することにより、家庭内でも設置することが出来る。お寺では、表示部１２に表示された符号を予め作成されたリストにより誰の位牌、墓地であるかを確認して、それぞれの仏壇、墓地に対する所定の供養日に供養の読経等が行われる。又、親族や縁者、友人などがお寺にお参りしたときには、親族などにその符号を知らせることにより、お参りすることが出来る。
【００１３】
なお、位牌の確認は、側板１４の外面に設けられている閉じ板１６を引き上げることにより位牌の文字を確認することにより容易に確認できる。又、お寺に上記箱型仏具１０を置く際には、表示部１２に所定の符号を付して、その外箱１１内に、遺骨を収納した骨壷１７を置いた内箱１３を収納し、側板１４が外箱１１の外側面を閉じるまで押し込むことにより納骨が行われる。
【産業上の利用可能性】
【００１４】
この考案の箱型仏具は、家庭内に仏間などを設けることなくお寺に、位牌を備えた仏壇と墓地を兼ねた仏具として設置することが出来、日本全国の各地のお寺で広く設置利用が可能である。
【図面の簡単な説明】
【００１５】
【図１】実施形態の箱型仏具の正面から見た外観斜視図
【図２】同上の箱型仏具を内箱を少し引き出した状態で見た外観斜視図
【図３】内箱と骨壷を分離してみた部分分解斜視図
【符号の説明】
【００１６】
１０    箱型仏具
１１    外箱
１２    表示部
１３    内箱
１４    側板
１５    側部材
１６    閉じ板
１６ａ  つまみ
１７    骨壷
１８    凹面部
Ａ      仏像
【図１】
0003122143.tif 000003
【図２】
0003122143.tif 000004
【図３】
0003122143.tif 000005